(57)【要約】【課題】  スライド移動に対応した複数の信号入力が可能で、接点部の接点圧を確保でき接触信頼性の高いスイッチ装置を提供する。【解決手段】  共通固定接点２及び複数の個別固定接点３ａ、３ｂが配設された基台１と、基台１にスライド移動可能に収容されたスライド部材４と、スライド部材４を一方向へ付勢する弾性部材６と、共通固定接点２に導通され、スライド部材４の移動に伴い複数の個別固定接点３ａ、３ｂ上を摺接する接点部５ｆ、５ｆを有する可動接点部材５とを備え、可動接点部材５をスライド部材４に従動可能に保持させると共に、弾性部材６の一端側を可動接点部材５に当接させ、弾性部材６の弾圧力によって可動接点部材５の接点部５ｆ、５ｆを複数の個別固定接点３ａ、３ｂと摺接する方向に回動させて、接点部５ｆ、５ｆを複数の個別固定接点３ａ、３ｂに圧接させた。【選択図】        図３
2007141628.tif 000002
【特許請求の範囲】
【請求項１】
共通固定接点及び複数の個別固定接点が配設された基台と、この基台にスライド移動可能に収容されたスライド部材と、このスライド部材を一方向へ付勢する弾性部材と、前記共通固定接点に導通され、前記スライド部材の移動に伴い前記複数の個別固定接点上を摺接する接点部を有する可動接点部材とを備え、前記可動接点部材を前記スライド部材に従動可能に保持させると共に、前記弾性部材の一端側を前記可動接点部材に当接させ、該弾性部材の弾圧力によって前記可動接点部材の接点部を複数の前記個別固定接点と摺接する方向に回動させて、前記接点部を複数の前記個別固定接点に圧接させたことを特徴とするスイッチ装置。
【請求項２】
前記可動接点部材は、前記弾性部材の弾圧力により該弾性部材の一端側と前記スライド部材との間に挟持され、前記スライド部材と前記可動接点部材との当接部に前記可動接点部材の回動支点を設けたことを特徴とする請求項１記載のスイッチ装置。
【請求項３】
前記可動接点部材の前記回動支点を挟んで一方側に前記接点部を設け、これと対向する他方側に前記弾性部材の一端側が当接する壁部を設け、前記弾性部材が前記壁部を弾圧することにより前記可動接点部材の前記接点部が前記回動支点を中心として前記個別固定接点側に回動することを特徴とする請求項２記載のスイッチ装置。
【請求項４】
前記可動接点部材は、導電性の金属板からなり、平板状の基板部と、この基板部から屈曲され所定の角度で立ち上がる前記壁部と、この壁部の上面に前記基板部とは反対側に傾斜して設けられた舌片とを有し、前記基板部には凹部が設けられ、この凹部の中央には凸状の回動支点部が突出して設けられると共に、該凹部の両側縁部には長片状に延出された前記接点部が設けられ、前記壁部に前記舌片の傾斜面に沿わせた前記弾性部材の一端側が当接し、前記回動支点部の凸部が前記スライド部材と当接することにより前記可動接点部材を回動可能に保持したことを特徴とする請求項３記載のスイッチ装置。
【請求項５】
前記弾性部材は、導電性のばね部材からなり、該ばね部材の他端側を前記共通固定接点と導通させたことを特徴とする請求項１乃至４の何れかに記載のスイッチ装置。
【請求項６】
前記複数の個別固定接点が配設された基台には、前記スライド部材がスライド移動する際に前記可動接点部材あるいは前記スライド部材の一部が当接するクリック用の係合段部を形成したことを特徴とする請求項１乃至５の何れかに記載のスイッチ装置。
【発明の詳細な説明】
【技術分野】
【０００１】
本発明は、各種電子機器の操作用スイッチとして使用される２段スイッチ構造を有するスイッチ装置に関する。
【背景技術】
【０００２】
従来の２段スイッチ構造のスイッチ装置としては、複数の固定接点が配設された絶縁板と、これら固定接点と摺接する可動接片と、この可動接点を保持し摺動させる操作子と、これらを覆うカバー及びケースとによって構成されたものが知られている（例えば、特許文献１参照）。
【０００３】
図８〜図１０は、該スイッチ装置の平面図を示したものであり、図８は可動接片が中立位置Ｎの状態、図９は可動接片が第１位置ＭＤの状態、図１０は可動接点が第２位置ＡＤの状態を示す。図では操作子、カバー及びケースの図示を省略している。図において、絶縁板１はその上面に共通固定接点１１、第１固定接点１２，１３及び第２固定接点１４，１５を設けている。
【０００４】
そして、絶縁板１には図示しないノブの操作位置に対応した中立位置Ｎ、第１位置ＭＵ，ＭＤ及び第２位置ＡＵ，ＡＤと、可動接片２の移動範囲に対応した第１領域Ｚ１及び第２領域Ｚ２とを設定している。詳述すると、中立位置Ｎとはノブの位置が中立位置である際の可動接片２の位置であり、第１位置ＭＵ，ＭＤとはノブの操作位置が１段目の操作位置である際の可動接片２の位置であり、第２位置ＡＵ，ＡＤとはノブの操作位置が１段目からさらに操作された２段目の操作位置である際の可動接片２の位置である。また第１領域Ｚ１とは共通固定接点１１と第１固定接点１２，１３とが並んだ領域であり、第２領域Ｚ２とは共通固定接点１１と第２固定接点１４，１５とが並んだ領域である。
【０００５】
可動接片３２は、前記絶縁板３１に設定した中立位置Ｎ、第１位置ＭＵ，ＭＤ及び第２位置ＡＵ，ＡＤ間において移動自在であり、かつ前記絶縁板１の第１領域Ｚ１を摺動する第１接片２１と、第２領域Ｚ２を摺動する第２接片２２とを有している。
【０００６】
次に、上記したものの作動を説明する。まず、図８はノブを操作しない状態であり、可動接片３２の移動位置が中立位置Ｎに有る状態を示している。この状態では、可動接片３２はいずれの固定接点１１〜１５にも接触していないので、２段スイッチ装置は信号を出力しない。
【０００７】
また、図９はノブを１段目の操作位置に操作した状態であり、可動接片３２が中立位置Ｎから第１位置ＭＤに移動した状態を示している。この状態では、可動接片３２が共通固定接点１１と第１固定接点１２との両方に接触し、両固定接点１１，１２間を橋絡する。これにより、２段スイッチ装置は１段目の信号を入力するものとなる。
【０００８】
また、図１０はノブを２段目の操作位置に操作した状態であり、可動接片３２が中立位置Ｎから第２位置ＡＤに移動した状態を示している。この状態では、可動接片３２が共通固定接点１１と第２固定接点１４との両方に接触し、両固定接点１１，１４間を橋絡する。これにより、２段スイッチ装置は２段目の信号を入力するものとなる。
【０００９】
【特許文献１】特許第３６２８４２３号公報
【発明の開示】
【発明が解決しようとする課題】
【００１０】
しかしながら、上述した従来のスイッチ装置においては、可動接片が自身の撓みによる弾圧力によって、それぞれの固定接点との摺動時の接点圧を発生させるため、スイッチ装置を小型化する場合には可動接片も小さくなり、充分な接点圧を確保できなくなり接触信頼性が低下するという問題があった。
【００１１】
従って、本発明は上記した問題点を解決し、スライド移動に対応した複数の信号入力が可能で、接点部の接点圧を確保でき接触信頼性の高いスイッチ装置を提供することを目的とする。
【課題を解決するための手段】
【００１２】
上記課題を解決するために本発明では第１の解決手段として、共通固定接点及び複数の個別固定接点が配設された基台と、この基台にスライド移動可能に収容されたスライド部材と、このスライド部材を一方向へ付勢する弾性部材と、前記共通固定接点に導通され、前記スライド部材の移動に伴い前記複数の個別固定接点上を摺接する接点部を有する可動接点部材とを備え、前記可動接点部材を前記スライド部材に従動可能に保持させると共に、前記弾性部材の一端側を前記可動接点部材に当接させ、該弾性部材の弾圧力によって前記可動接点部材の接点部を複数の前記個別固定接点と摺接する方向に回動させて、前記接点部を複数の前記個別固定接点に圧接させた構成とした。
また、第２の解決手段として、前記可動接点部材は、前記弾性部材の弾圧力により該弾性部材の一端側と前記スライド部材との間に挟持され、前記スライド部材と前記可動接点部材との当接部に前記可動接点部材の回動支点を設けた構成とした。
また、第３の解決手段として、前記可動接点部材の前記回動支点を挟んで一方側に前記接点部を設け、これと対向する他方側に前記弾性部材の一端側が当接する壁部を設け、前記弾性部材が前記壁部を弾圧することにより前記可動接点部材の前記接点部が前記回動支点を中心として前記個別固定接点側に回動する構成とした。
【００１３】
また、第４の解決手段として、前記可動接点部材は、導電性の金属板からなり、平板状の基板部と、この基板部から屈曲され所定の角度で立ち上がる前記壁部と、この壁部の上面に前記基板部とは反対側に傾斜して設けられた舌片とを有し、前記基板部には凹部が設けられ、この凹部の中央には凸状の回動支点部が突出して設けられると共に、該凹部の両側縁部には長片状に延出された前記接点部が設けられ、前記壁部に前記舌片の傾斜面に沿わせた前記弾性部材の一端側が当接し、前記回動支点部の凸部が前記スライド部材と当接することにより前記可動接点部材を回動可能に保持した構成とした。
また、第５の解決手段として、前記弾性部材は、導電性のばね部材からなり、該ばね部材の他端側を前記共通固定接点と導通させた構成とした。
また、第６の解決手段として、前記複数の個別固定接点が配設された基台には、前記スライド部材がスライド移動する際に前記可動接点部材あるいは前記スライド部材の一部が当接するクリック用の係合段部を形成した構成とした。
【発明の効果】
【００１４】
上述したように、本発明のスイッチ装置は、共通固定接点及び複数の個別固定接点が配設された基台と、基台にスライド移動可能に収容されたスライド部材と、スライド部材を一方向へ付勢する弾性部材と、共通固定接点に導通され、スライド部材の移動に伴い複数の個別固定接点上を摺接する接点部を有する可動接点部材とを備え、可動接点部材をスライド部材に従動可能に保持させると共に、弾性部材の一端側を可動接点部材に当接させ、弾性部材の弾圧力によって可動接点部材の接点部を複数の個別固定接点と摺接する方向に回動させて、接点部を複数の個別固定接点に圧接させたことから、弾性部材によって可動接点部材を弾圧するようにしたので、小型の可動接点部材でも接点圧を増加させることができ、可動接点部材を複数の個別固定接点面と圧接する方向に回動可能にしたので、個々の個別固定接点と確実に摺接でき接触信頼性の高いスイッチ装置を提供できる。
また、可動接点部材は、弾性部材の弾圧力により弾性部材の一端側とスライド部材との間に挟持され、スライド部材と可動接点部材との当接部に可動接点部材の回動支点を設けたことから、互いの部材の当接部で回動支点を形成したので、簡単な構成で可動接点部材を回動可能に構成することができる。
また、可動接点部材の回動支点を挟んで一方側に接点部を設け、これと対向する他方側に弾性部材の一端側が当接する壁部を設け、弾性部材が壁部を弾圧することにより可動接点部材の接点部が回動支点を中心として個別固定接点側に回動することから、可動接点部材の接点部を個別固定接点側に確実に弾接させることができる。
【００１５】
また、可動接点部材は、導電性の金属板からなり、平板状の基板部と、基板部から屈曲され所定の角度で立ち上がる壁部と、壁部の上面に基板部とは反対側に傾斜して設けられた舌片とを有し、基板部には凹部が設けられ、凹部の中央には凸状の回動支点部が突出して設けられると共に、凹部の両側縁部には長片状に延出された接点部が設けられ、壁部に舌片の傾斜面に沿わせた弾性部材の一端側が当接し、回動支点部の凸部がスライド部材と当接することにより可動接点部材を回動可能に保持したことから、可動接点部材をプレス等で簡単に加工できるので、小型化が可能で、簡単な構成で可動接点部材の接点部を個別固定接点側に確実に弾接させることができる。
また、弾性部材は、導電性のばね部材からなり、ばね部材の他端側を共通固定接点と導通させたことから、共通固定接点との導通経路をばね部材で形成できるので、部品点数の削減が図れる。
また、複数の個別固定接点が配設された基台には、スライド部材がスライド移動する際に可動接点部材あるいはスライド部材の一部が当接するクリック用の係合段部を形成したことから、スライド部材のスライド操作時にクリック感触を付与でき、良好な操作感触が得られる。
【発明を実施するための最良の形態】
【００１６】
以下、本発明の実施の形態を図１乃至図７に示す。図１は本発明のスイッチ装置を示す分解斜視図、図２は本発明のスイッチ装置のカバーを外した状態を示す平面図、図３は本発明のスイッチ装置を示す断面図、図４は本発明のスイッチ装置の可動接点部材の駆動状態を示す要部斜視図、図５は本発明のスイッチ装置の接点部の配置関係を示す平面図、図６は本発明のスイッチ装置の１段目オン状態を示す断面図、図６は本発明のスイッチ装置の２段目オン状態を示す断面図である。
【００１７】
図１において、本発明のスイッチ装置は、複数の固定接点が配設された基台１と、固定接点上を摺接する可動接点部材５と、可動接点部材５を保持し弾性部材６により一方向へ付勢され、基台１にスライド移動可能に収容されたスライド部材４と、基台１の開口部の上面側を覆うカバー７とから主に構成されている。
【００１８】
基台１は、合成樹脂等の絶縁材で形成され、上面及び一側面が開口されて内部に収納部１ａ、側面に開口部１ｂを有する略矩形状の箱型に形成されている。この基台１の開口部１ｂに対向する側面の外面には、外方へ突出した突出部１ｃが設けられ、この突出部１ｃに対応した側面の内面には、収納部１ａに連接して断面がＵ形状の凹溝部１ｄが設けられている。また、基部１の他の対向する側面には、カバー７と係合する係合突起１ｅを有するガイド溝部１ｆが設けられている。
【００１９】
また、凹溝部１ｄの突出部１ｃ方向の内側面には、導電性の金属板からなる共通固定接点２がその一部を表出して埋設されており、その他端側は突出部１ｃの外方に導出されて接続端子２ａが設けられている。また、収納部１ａの内底面には、対向する位置に、同じく導電性の金属板からなる１段目スイッチ及び２段目スイッチの接点部を構成する第１個別固定接点３ａ及び第２個別固定接点３ｂからなる個別固定接点３がその一部を表出してそれぞれ埋設されており、その他端側は他の対向する側面の外方に導出されて、それぞれ接続端子３ｃ及び３ｄが設けられている。
【００２０】
この場合、図５に示すように、上側に位置する１段目スイッチである第１個別固定接点３ａは、下側に位置する２段目スイッチである第２個別固定接点３ｂに比べて、可動接点部材５の摺動方向すなわちスライド部材４のスライド移動方向の前端側（図５では右側）の長さが若干長く形成されている。このため、スライド部材４のスライド移動時には、可動接点部材５が第１個別固定接点３ａに接触した後、第２個別固定接点３ｂに接触するものとなり、１段目スイッチがオンした後、２段目スイッチがオンするものとなっている。
【００２１】
また、図３、図６に示すように、収納部１ａの内底面に表出された第１個別固定接点３ａの前端側（図３では左側）に隣接した内底面には、上方へ突出した凸面を有する係合段部１ｇが設けられている。この係合段部１ｇを設けることでスライド部材４がスライド移動する際に、可動接点部材５が係合段部１ｇと当接して、スライド部材４のスライド操作時にクリック感触を付与でき、良好な操作感触が得られるものとなっている。
【００２２】
スライド部材４は、同じく合成樹脂等の絶縁材で形成され、基台１の収納部１ａにスライド移動可能に収容された駆動部４ａと、この駆動部４ａの前方に設けられ、基台１の開口部１ｂから突出された矩形状の操作部４ｂとを有している。また、駆動部４ａは、両側面に設けられ、収納部１ａの内壁面と摺動する一対の摺動腕部４ｃ、４ｃと、これら摺動腕部４ｃ、４ｃの間に設けられ、可動接点部材５を保持する接点保持部４ｄとを有している。
【００２３】
また、接点保持部４ｄの中央には、可動接点部材５の回動支点と当接して可動接点部材５を回動可能に保持する平面状の回動保持部４ｅが設けられており、この回動保持部４ｅは接点保持部４ｄの中央に設けられた突条部４ｆの先端側に設けられている。また、この回動保持部４ｅの上端面には、可動接点部材５の回動支点と係合して回動支点の上方への移動を規制する係止突起４ｇが設けられている。この係止突起４ｇに可動接点部材５の回動支点が係合することにより、可動接点部材５が回動支点を中心として、スライド部材４に上下左右方向に回動可能に支持されるものとなっている。
【００２４】
可動接点部材５は、導電性の金属板からなり、プレス等で打ち抜き折り曲げ加工することにより形成されている。この可動接点部材５は、平板状の基板部５ａと、この基板部５ａから上方に折り曲げられて所定の角度で立ち上がる壁部５ｂと、この壁部５ｂの上面中央に基板部５ａとは対向する反対側に傾斜して設けられた舌片５ｃとを有している。また、基板部５ａの中央には、大きな凹部５ｄが設けられ、この凹部５ｄの中央には、凸状の回動支点部５ｅが突出して設けられており、また、この回動支点部５ｅが設けられた凹部５ｄの両側縁部には、長片状に延出された平板部に下方へ膨出形成された一対の接点部５ｆ、５ｆが設けられている。
【００２５】
また、本発明の可動接点部材５は、自身では弾性を有しておらず、従来の可動接片が自身の撓みによる弾圧力によって摺動時の接点圧を生起させているのに対して、可動接点部材５自身の撓みで接点圧を生起させる必要がないため、金属板からプレス等で簡単に加工できるので、小型化が可能となっている。
【００２６】
弾性部材６は、導電性の金属線材からなるコイルばねで形成されている。この弾性部材６は、一端側がスライド部材４の接点保持部４ｄに保持された可動接点部材５の壁部５ｂに舌片５ｃに沿わせた状態で当接され、他端側が基台１の収納部１ａに設けられた凹溝部１ｄの内側面に表出した共通固定接点２に当接された状態で、基台１の収納部１ａ内に配設されており、可動接点部材５と共通固定接点２とが弾性部材６であるコイルばねを介して電気的に導通されている。また、この弾性部材６で、収納部１ａ内にスライド移動可能に収容されたスライド部材４を一方向（図２の右方向）に弾性付勢している。
【００２７】
このように、弾性部材６は、導電性のばね部材から形成して、ばね部材の他端側を共通固定接点２と導通させるようにしたので、共通固定接点２との導通経路をスライド部材４を付勢する弾性部材であるばね部材を兼用して形成できるため、部品点数の削減が図れるものとなる。
【００２８】
また、図３、図４に示すように、弾性部材６が収納部１ａに組み込まれた状態では、弾性部材６の一端側がスライド部材４の接点保持部４ｄに保持された可動接点部材５の壁部５ｂに舌片５ｃに沿わせた状態で当接されており、この時、可動接点部材５の基板部５ａに設けられた回動支点部５ｅの凸部が、スライド部材４の接点保持部４ｄに設けられた回動保持部４ｅ及び係止突起４ｇに係合することにより、可動接点部材５は壁部５ｂの上面側を押圧する弾性部材６の弾圧力（図３の左方向）によって、回動支点部５ｅを中心として対向する側の接点部５ｆが収納部１ａの内底面側（図３の下方向）へ弾圧されている。
【００２９】
このように、可動接点部材５は、弾性部材６の弾圧力により弾性部材６の一端側とスライド部材４との間に挟持され、スライド部材４と可動接点部材５との当接部に可動接点部材５の回動支点を設けるようにしたので、簡単な構成で可動接点部材５を回動可能に形成することができる。
また、可動接点部材５の回動支点部５ｅを挟んで一方側に接点部５ｆ、５ｆを設け、これと対向する他方側に弾性部材６の一端側が当接する壁部５ｂを設けて、弾性部材６が壁部５ｂを弾圧することにより、可動接点部材５の接点部５ｆ、５ｆが回動支点部５ｅを中心として個別固定接点３ａ、３ｂ側に回動するようにしたので、可動接点部材５の接点部５ｆ、５ｆを個別固定接点３ａ、３ｂ側に確実に弾接させることができるものとなっている。
尚、本実施例では、スライド部材４と可動接点部材５との当接部に設けた回動支点を、可動接点部材５に設けた回動支点部５ｅで形成するようにしたが、この回動支点は、スライド部材４側に設けるようにしてもよい。
【００３０】
カバー７は、平板状の金属板からなり、略矩形状の蓋部７ａと、対向する両側部から下方へ屈曲された一対の脚部７ｂ、７ｂとを有している。また、蓋部７ａには方形状の窓孔７ｃが設けられ、この窓孔７ｃに可動接点部材５の舌片５ｃが移動可能に挿通されている。また、一対の脚部７ｂ、７ｂは、方形状の係止孔７ｄ、７ｄを有しており、この脚部７ｂ、７ｂが基台１の対向する側面に設けられたガイド溝部１ｆ、１ｆに挿入されて、係止孔７ｄ、７ｄがガイド溝部１ｆ、１ｆに設けられた係合突起１ｅ、１ｅと係合されることによりカバー７が基台１の収納部１ａの上面側に装着されている。
【００３１】
次に、図３乃至図７を用いて本発明のスイッチ装置の動作を説明する。
まず、図３に示す初期状態では、スライド部材４は弾性部材６の弾圧力により図示左方向へ付勢されている。この時、可動接点部材５は、図４に示すように弾性部材６の弾圧力により壁部５ｂの上面側が弾圧されて回動支点部５ｅを中心に回動され、接点部５ｆは接点圧を生起した状態で収納部１ａの内底面に弾圧されている。この状態では、図５に示すように可動接点部材５の接点部５ｆ、５ｆは、第１個別固定接点３ａ及び第２個別固定接点３ｂとは離間しておりスイッチはオフ状態となっている。
【００３２】
次に、図６に示すようにスライド部材４を図示右方向へ押圧操作すると、弾性部材６の付勢力に抗してスライド部材４と可動接点部材５が右方向に移動し、一方の接点部５ｆ（図５では上側）が第１個別固定接点３ａの前端側に突出して設けられた係合段部１ｇと当接してこれを乗り越える時にクリック感触が生起されると共に、該接点部５ｆが第１個別固定接点３ａと接触して、第１個別可動接点３ａと共通個別固定接点２が可動接点部材５及び弾性部材６を介して電気的に導通され１段目スイッチがオン状態となる。
この時、接点部５ｆは、スライド部材４の押圧操作に伴い圧縮された弾性部材６の更に加圧された弾圧力により第１個別固定接点３ａに弾圧されるので、確実に安定した接点圧が得られるものとなる。
【００３３】
次に、この状態から、図７に示すように、更にスライド部材４を図示左方向（図６では右方向）に押圧操作すると、更に弾性部材６の付勢力に抗してスライド部材４と可動接点部材５が左方向に移動し、他方の接点部５ｆ（図５では下側）が第２個別固定接点３ｂと接触して、第２個別可動接点３ｂと共通個別固定接点２が可動接点部材５及び弾性部材６を介して電気的に導通され２段目スイッチがオン状態となる。
この時、他方の接点部５ｆは、スライド部材４の押圧操作に伴い圧縮された弾性部材６の更に加圧された弾圧力により第２個別固定接点３ｂに弾圧されるので、更に、確実に安定した接点圧が得られるものとなる。
【００３４】
尚、本実施例では、２段目スイッチのオン時にはクリック用の係合段部を設けない構造で説明したが、第２個別固定接点３ｂの前端側にも第１個別固定接点３ａと同様な突出した係合段部を設けて２段目スイッチのオン時においてもクリック感触が生起されるようにしてもよい。
また、本実施例では、可動接点部材５の回動支点部５ｅを基板部５ａの凹部５ｄの両側縁部に延設された一対の接点部５ｆ、５ｆの中央に突出した凸部で形成しており、可動接点部材５が該凸部を中心として左右の回動が可能となっている。このため、一方の接点部５ｆが係合段部１ｇを乗り越える時には、上下方向の回動に加えて左右方向へも回動するので、良好な操作感触が得られるものとなっている。
【００３５】
上記した本発明の実施例によれば、可動接点部材５をスライド部材４に従動可能に保持させると共に、弾性部材６の一端側を可動接点部材５に当接させ、弾性部材６の弾圧力によって可動接点部材５の接点部５ｆ、５ｆを複数の個別固定接点３ａ、３ｂと摺接する方向に回動させて、接点部５ｆ、５ｆを複数の個別固定接点３ａ、３ｂに圧接させたことから、弾性部材６によって可動接点部材５を弾圧するようにしたので、小型の可動接点部材５でも接点圧を増加させることができ、可動接点部材５を複数の個別固定接点３ａ、３ｂの面と圧接する方向に回動可能にしたので、個々の個別固定接点３ａ、３ｂと確実に摺接でき、接触信頼性の高いスイッチ装置を提供できるものとなっている。
【図面の簡単な説明】
【００３６】
【図１】本発明のスイッチ装置を示す分解斜視図である。
【図２】本発明のスイッチ装置のカバーを外した状態を示す平面図である。
【図３】本発明のスイッチ装置を示す断面図である。
【図４】本発明のスイッチ装置の可動接点部材の駆動状態を示す要部斜視図である。
【図５】本発明のスイッチ装置の接点部の配置関係を示す平面図である。
【図６】本発明のスイッチ装置の１段目オン状態を示す断面図である。
【図７】本発明のスイッチ装置の２段目オン状態を示す断面図である。
【図８】従来のスイッチ装置の可動接片が中立位置Ｎの状態を示す平面図である。
【図９】従来のスイッチ装置の可動接片が第１位置ＭＤの状態を示す平面図である。
【図１０】従来のスイッチ装置の可動接点が第２位置ＡＤの状態を示す平面図である。
【符号の説明】
【００３７】
１：基台
１ａ：収納部
１ｂ：開口部
１ｃ：突出部
１ｄ：凹溝部
１ｅ：係合突起
１ｆ：ガイド溝部
１ｇ：係合段部
２：共通固定接点
２ａ：接続端子
３：個別固定接点
３ａ：第１個別固定接点
３ｂ：第２個別固定接点
３ｃ：接続端子
３ｄ：接続端子
４：スライド部材
４ａ：駆動部
４ｂ：操作部
４ｃ：摺動腕部
４ｄ：接点保持部
４ｅ：回動保持部
４ｆ：突条部
４ｇ：係止突起
５：可動接点部材
５ａ：基板部
５ｂ：壁部
５ｃ：舌片
５ｄ：凹部
５ｅ：回動支点部（回動支点）
５ｆ：接点部
６：弾性部材
７：カバー
７ａ：蓋部
７ｂ：脚部
７ｃ：窓孔
７ｄ：係止孔
【図１】
2007141628.tif 000003
【図２】
2007141628.tif 000004
【図３】
2007141628.tif 000005
【図４】
2007141628.tif 000006
【図５】
2007141628.tif 000007
【図６】
2007141628.tif 000008
【図７】
2007141628.tif 000009
【図８】
2007141628.tif 000010
【図９】
2007141628.tif 000011
【図１０】
2007141628.tif 000012